(57)【要約】【課題】光ケーブルの伝送特性に悪影響を与えることなく、光ケーブルの接続や切り替え或いは分岐接続作業や再収納作業が容易に実施でき、異なる外径の光ケーブルをしっかりと把持することができ、しかも、多数のケーブルを狭い間隔で、簡単に取扱える光ケーブル把持具とする。【解決手段】光ケーブルの外径よりも小さい幅で光ケーブルが圧入されてケーブルを把持する凹溝５，６を連通して両側に貫通状態で備えた光ケーブル把持本体４１  と、該光ケーブル把持本体４１  の前記凹溝５，６の開口部側を被覆する蓋体４２  とを有する光ケーブル把持具４において、この光ケーブル把持部を形成する前記凹溝の長手方向に光ケーブル導入前方側と後方側とに分けて溝幅が広い広幅凹溝５と、溝幅が狭い狭幅凹溝６とを連続して設けて異なる外径のケーブルを把持できるようにした。【選択図】    図１
2004212897.tif 000002
【特許請求の範囲】
【請求項１】
光ケーブルの外径よりも小さい幅で光ケーブルが圧入されてケーブルを把持する凹溝を連通して両側に貫通状態で備えた光ケーブル把持本体と、該光ケーブル把持本体の前記凹溝の開口部側を被覆する蓋体とを有する光ケーブル把持具において、この光ケーブル把持部を形成する前記凹溝の長手方向に光ケーブル導入前方側と後方側とに分けて溝幅が広い広幅凹溝と、溝幅が狭い狭幅凹溝とを連続して設けて異なる外径のケーブルを把持できるようにしたことを特徴とする光ケーブル接続用キャビネットにおける光ケーブル把持具。
【請求項２】
光ケーブル把持部を形成する前記凹溝が、溝の内壁面に溝深さ方向に凸条を複数突設して、ケーブル外径より小さい幅になるように設定し、前記凹溝に圧入されたケーブルに複数ヵ所で摩擦抵抗を加えるようにして光ケーブルを挟み付けることを特徴とする請求項１記載の光ケーブル接続用キャビネットにおける光ケーブル把持具。
【請求項３】
光ケーブル把持部を形成する前記凹溝が、ケーブル外径の大きなケーブル段剥ぎして溝幅が広い広幅凹溝に圧入した際に、露出した光ファイバ心線の段剥ぎ部での出口位置が狭幅凹溝の溝壁間隔以内にくるように構成したことを特徴とする請求項１または２記載の光ケーブル接続用キャビネットにおける光ケーブル把持具。
【請求項４】
前記ケーブル把持本体が、その上面部に光ケーブル把持部の前記凹溝を所定幅の突壁によって所定間隔で多数並列配備し、またケーブル把持本体の底面部外側に異方向に突設した係止片を備えて、該係止片をキャビネット本体内に固着したベース板に形成した取付孔に係脱する構成とすると共に、係止部をベース板の背面に潜らせて摺動自在に装着したことを特徴とする請求項１，２または３記載の光ケーブル接続用キャビネットにおける光ケーブル把持具。
【請求項５】
前記ケーブル把持本体が、キャビネット本体内に固着したベース板に形成した位置決め孔に係脱する弾性位置決め片を配備したことを特徴とする請求項４記載の光ケーブル接続用キャビネットにおける光ケーブル把持具。
【請求項６】
前記光ケーブル把持本体の前記凹溝の開口部側を被覆する蓋体が、ケーブル把持部を形成する凹溝の外端を開放するカバーケースであって、光ケーブル把持本体との接合面に係脱自在の係止凹凸部を備えるケーブルの飛び出し防止構成となっていることを特徴とする請求項４または５記載の光ケーブル接続用キャビネットにおける光ケーブル把持具。
【発明の詳細な説明】
【０００１】
【発明の属する技術分野】
本発明は、通信ケーブル、特に光ファイバ心線を有する光ファイバケーブル（以下光ケーブル）の配線区間において、固定配線区画の配線点や、屋外から屋内に引き込まれる光ケーブルのケーブル接続点における接続並びに架空ケーブルや地下ケーブルなどの光ケーブルと、分岐光ファイバケーブルの接続のために用いられる光ケーブル接続用キャビネットにおいて、光ケーブルを取り扱い簡単で容易に把持できるようにし、光ケーブルの接続部や心線余長をも保護して安全に用いられる光ケーブル接続用キャビネットにおける光ケーブル把持具に関するものである。
【０００２】
【従来の技術】
従来より、光ケーブルの分岐、引込、接続などを行う場合、光ケーブル接続用キャビネット内においてケーブル心線相互を接続すると共に、光ケーブルの導出入部では、光ケーブル把持部が設けられ、この光ケーブル把持部は多数の光ケーブルを狭い間隔で簡単に把持できるようにすることが要請されている。
そして、光ケーブルを簡単に把持するには、ケーブル導入部に溝を形成して、この溝の中にケーブルを押し込んで把持する構造にすることが知られていて、このタイプの光ケーブル把持部としては、溝内に対向する壁面に交互に突起を形成して、ケーブルを蛇行させて把持するものや、溝に押し込んだケーブルに弾性片を押しつけて把持したり、溝内にクランプを圧入して把持したりするものなどの手段が用いられている。〔特願平９−１２７８５２号参照〕
【０００３】
【発明が解決しようとする課題】
しかし、この種の光ケーブル把持具では、溝の中でケーブルを蛇行させて把持する構造は、蛇行回数を多くしなければ十分な把持力を得ることが難しく、蛇行回数を多くしたりすると光ケーブルファイバの損失増加が発生しやすいという問題がある。また溝のなかでケーブルに弾性片を押しつけて把持したり、また挟持部材を押し込んだりして把持するする構造は、弾性片やまた挟持部材を確実に圧入しなければ同様に十分な把持力を得ることが難しく、ケーブルが引き抜けやすいという問題がある。
本発明は、これら従来の事情に鑑みてなされたものであり、光ケーブルの伝送特性に悪影響を与えることなく、光ケーブルの接続や切り替え或いは分岐接続作業や再収納作業が容易に実施でき、心線ごとの収納や整理のほか心線ごとの増減が簡単にでき、しかも増設も楽で、きわめてコンパクトにケーブルを安全に収納することができ、光ケーブル把持部の凹溝の中にケーブルを押し込んで把持するタイプで、ケーブルをしっかりと把持することができ、しかも、多数のケーブルを狭い間隔で、簡単に把持できる取扱い簡便な光ケーブル接続用キャビネットにおける光ケーブル把持具を安価な形態で提供することを目的とするものである。
【０００４】
【課題を解決するための手段】
本発明に係る光ケーブル把持具は、光ケーブルの外径よりも小さい幅で光ケーブルが圧入されてケーブルを把持する凹溝を連通して両側に貫通状態で備えた光ケーブル把持本体と、該光ケーブル把持本体の前記凹溝の開口部側を被覆する蓋体とを有する光ケーブル把持具において、この光ケーブル把持部を形成する前記凹溝の長手方向に光ケーブル導入前方側と後方側とに分けて溝幅が広い広幅凹溝と、溝幅が狭い狭幅凹溝とを連続して設けて異なる外径のケーブルを把持できるようにしたことを特徴とする。
【０００５】
このように光ケーブル導入側と光ケーブル導出側とに分けて溝幅が広い広幅凹溝と、溝幅が狭い狭幅凹溝とを連続して設けて異なる外径のケーブルを把持すると、十分大きな把持力が得られ、引き抜き方向に対する抵抗力が大幅に増加して光ケーブルを安全に保持することができる。
【０００６】
本発明の光ケーブル把持部を形成する前記凹溝は、溝の内壁面に溝深さ方向に凸条を複数突設して、ケーブル外径より小さい幅になるように設定し、前記凹溝に圧入されたケーブルに複数ヵ所で摩擦抵抗を加えるようにして光ケーブルを挟み付けるようにするのがよい。
このようにすると異なる外径のケーブルを確実に把持できるようにし高密度の把持形態を長期にわたって維持でき安全性を高めることができる。
【０００７】
また本発明に係る光ケーブル把持具は、把持部を形成する前記凹溝が、ケーブル外径の大きなケーブル段剥ぎして溝幅が広い広幅凹溝に圧入した際に、露出した光ファイバ心線の段剥ぎ部での出口位置が狭幅凹溝の溝壁間隔以内にくるように構成したことで、各ケーブルの把持力を均等化することができ、光ケーブルファイバの損失増加が発生し憎く取り扱うことができる。
【０００８】
さらに、本発明での光ケーブル把持具は、前記ケーブル把持本体の上面部に光ケーブル把持部の前記凹溝が所定幅の突壁によって所定間隔で多数並列配備され、またケーブル把持本体の底面部外側に異方向に突設した係止片を備えて、該係止片をキャビネット本体内に固着したベース板に形成した取付孔に係脱する構成とすると共に、係止部をベース板の背面に潜らせて摺動自在に装着したことにより、多数の光ケーブルを狭い間隔で簡単に把持でき、しかも光ケーブルが引き抜けにくく確実にキャビネット本体内に保持できる。
【０００９】
本発明の光ケーブル把持具は、前記ケーブル把持本体が、キャビネット本体内に固着したベース板に形成した位置決め孔に係脱する弾性位置決め片を配備することが好ましく、このようにすることで光ケーブルに対する引っ張りや緩み現象が生じなく心線にストレスが掛ることをなくして心線の伝送特性に悪影響を及ぼすことがない。
また本発明の光ケーブル把持具では、前記光ケーブル把持本体の前記凹溝の開口部側を被覆する蓋体が、ケーブル把持部を形成する凹溝の外端を開放するカバーケースであって、光ケーブル把持本体との接合面に係脱自在の係止凹凸部を備えるケーブルの飛び出し防止構成となっていることで、ケーブルの脱落による支障が生じることもなくケーブルの把持力の低下をも確実に防止できる。
【００１０】
【発明の実施の形態】
本発明の実施例を図面を用いて説明すると、図１は本発明の光ケーブル把持具が設けられる光ケーブル接続用キャビネット本体１の一例を示す。
図１において、キャビネット本体１には光ケーブルＡが導入され、分岐された心線ａを収納できる複数枚の一括心線収納トレイ２と個別心線収納トレイ３とが内装配備しているが、該心線収納トレイ２，３は光ファイバ心線を導出入し、心線相互を接続した接続部を収納して、さらに心線余長を巻回して収納するもので、心線収納トレイ３から導出した光ケーブルＡを光ケーブル把持具４に圧入して把持処理する。
この光ケーブル把持具４は、図２乃至図５に示す如く、光ケーブルＡの外径よりも小さい幅で光ケーブルが圧入されてケーブルを把持する凹溝５、６を連通して両側に貫通状態で備えた光ケーブル把持本体４１  と、該光ケーブル把持本体４１  の前記凹溝５，６の開口部側を被覆する蓋体４２  とを有し、この光ケーブル把持部を形成する前記凹溝の長手方向に光ケーブル導入前方側と後方側とに分けて溝幅が広い広幅凹溝５と、溝幅が狭い狭幅凹溝６とを連続して設けて異なる外径のケーブルを把持できるようにしてあって、フロア系ケーブル把持具、例えば、フロアケーブル、ドロップケーブル或いはターミネーションケーブル等を把持するものとして用いられる。
この場合、例えば、光ケーブルの把持部分は、外被を剥がさずに収納する広幅凹溝５と、光ケーブルの外被を剥いで露出させた光ファイバ心線を収納する狭幅凹溝６とを連続して光ケーブルが導入する部分に多数の光ケーブル把持用の凹溝が配列されている。
【００１１】
この光ケーブル把持部４を形成する前記凹溝５，６は、溝の内壁面に溝深さ方向に凸条５１  ，６１  を突設して、さらに該凸条５１  ，６１  を光ケーブル導入の前後方向に間隔を開けて複数突設して、ケーブル外径より小さい幅になるように設定し、前記凹溝５，６に圧入されたケーブルに複数ヵ所で摩擦抵抗を加えるようにして光ケーブルを挟み付ければ、より十分大きな把持力が得られ、引き抜き方向に対する抵抗力が大幅に増加して光ケーブルを確実に把持でき、高密度の把持形態を長期にわたって維持でき安全性を高めることができる。
さらに、光ケーブル導入前方側と後方側との中央部に幅方向に沿って隙間を開けて分けて溝幅が広い広幅凹溝５と、溝幅が狭い狭幅凹溝６とを連続して設けるのがよい。
【００１２】
また把持部を形成する前記凹溝５，６としては、ケーブル外径の大きなケーブル段剥ぎして溝幅が広い広幅凹溝５に圧入した際に、露出した光ファイバ心線の段剥ぎ部での出口位置が狭幅凹溝６の溝壁間隔以内にくるように構成したことで、各ケーブルの把持力を均等化することができるし、光ケーブルファイバの損失増加が発生し憎く取り扱うことができ、光ケーブルが引っ張られても引き抜けにくい。
【００１３】
さらに、前記ケーブル把持本体４１  の上面部に光ケーブル把持部の前記凹溝５，６が所定幅の突壁５２  ，６２  によって所定間隔で多数並列配備され、またケーブル把持本体４１  の底面部外側に異方向に突設した係止片７，８を備えて、該係止片７，８をキャビネット本体１内に固着したベース板１０に形成した取付孔１１に係脱する構成とすると共に、係止部をベース板１０の背面に潜らせて摺動自在に装着したことにより、多数の光ケーブルを狭い間隔で簡単に把持でき、しかも光ケーブルが引き抜けにくく確実にキャビネット本体１内に保持できる。
【００１４】
このキャビネット本体１には、屋外から屋内に引き込まれるドロップケーブル或いは屋内に配線される少心の光ケーブルなどの光ケーブルＡを光ケーブルの外被を剥がさずに収納する心線収納トレイ３と、光ケーブルの外被を剥いで露出させた光ファイバ心線とその接続部を収納する心線収納トレイ２とを両側に配設してあり、この複数の心線収納トレイ２，３が、光ケーブルＡが接続部によって接続配線された状態でキャビネット本体１内に導入されて固定され、光ケーブルＡのケーブル或いはテンションメンバを保持するケーブル把持具１４と、フロアケーブル把持具４とを備えたものであって、このケーブル把持具４，１４は、キャビネット本体１に等間隔で複数並列したケーブル配索孔或いは配索孔にあるケーブルグロメット９に臨んで、係止片或いは締付ネジによって着脱自在にベース板１０に配備して光ケーブルＡのクランプ固定化を簡便化してある。
【００１５】
前記ケーブル把持本体４１  としては、その上面部に光ケーブル把持部の前記凹溝５，６を所定幅の突壁５２  ，６２  によって所定間隔で多数並列配備してあるが、ケーブル把持本体４１  の底面部外側に異方向に突設した係止片７，８を備えて、該係止片７，８をキャビネット本体１内に固着したベース板１０に形成した取付孔１１に係脱する構成とすると共に、係止部７，８をベース板１０の背面に潜らせて摺動自在に装着するのがよい。
また、前記ケーブル把持本体４１  には、ベース板１０に形成した位置決め孔１２に係脱する弾性位置決め片１３を配備すると共に、前記凹溝５，６の開口部側を被覆する蓋体４２  を凹溝５，６の外端を開放するように構成し、該蓋体４２  と光ケーブル把持本体４１  との接合面に係脱自在の係止凹凸部１５を備えてケーブルの飛び出し防止構成となっている。
【００１６】
前記心線収納トレイ２，３は、上下層トレイをそれぞれヒンジ部によって開閉自在に連結されて一組とし、心線ａから分岐した単心ごとに接続部と心線余長とを個別に一括収納できる集合心線収納トレイに構成され、該心線収納トレイ２，３を前記キャビネット本体１内に設けたベース板１０に引き通し用トレイまたはその他のアタッチメントを介して取付けてある。この場合、心線から分岐した単心線或いは複数心線ごとに接続部と心線余長とを一括或いは個別に収納できる複数層の心線収納トレイに構成され、該一括心線収納トレイ２と個別心線収納トレイ３との複数ブロックが、引き通し用トレイを介してベース板１０に着脱自在に固着してなるもので、各心線収納トレイ２，３のヒンジ部を互いに向かい合わせでキャビネット本体１内に光ケーブルを導入する中央通路を隔ててそれぞれ左右に分離配備すると共に、該中央通路上にケーブル把持具１４を配備して引き通し線と分岐線とを収納する。
【００１７】
なお、前記光ケーブル把持本体４１  と、該光ケーブル把持本体４１  の前記凹溝５，６の開口部側を被覆する蓋体４２  とは、それぞれ難燃性の合成樹脂により一体成形された成形品から構成したものであり、また、前記４心一括収納トレイ２と個別心線収納トレイ３とも、合成樹脂により一体成形された成形品の心線トレイから構成したものであって、係止部材、例えば係止凹凸部を設けて着脱自在に前記ベース板１０に装着してキャビネット本体１内に内装して心線接続収納ケースとするのがよく、即ち各心線収納トレイ２，３のヒンジ部４を互いに向かい合わせでキャビネット本体１内に中央通路を挟んで並列配備すのがよい。例えば４心線を単心分離し、または分離心線を使用して単心線に変換した接続部及び余長収納するケースとするが、前記個別心線収納トレイ３も同様の構成とする。
【００１８】
図１では、光ケーブルＡを一本だけ示したが、実際には、キャビネット本体１内には多数の光ケーブルＡが導入されて用いられる。また各心線収納トレイ２，３を並列配備した例で示したが、一括心線収納トレイ２或いは個別心線収納トレイ３をそれぞれ並設するのに代えて、各心線収納トレイ２或いは３を取り替えて一括心線収納トレイ２同志また、個別心線収納トレイ３同志を並設した形態などにした、これ以外の構成であってもよく、ケーブル導入部には、ケーブルが押し込まれる凹溝５，６を有するケーブル把持具４、その他のケーブル把持具１４が備えられているものであれば光ケーブルＡのクランプ固定化を簡便化して有効に用いられうる。
【００１９】
前記キャビネット本体１は、合成樹脂の射出成形等により成形され、開閉自在或いは取り外し自在のカバー２０または蓋ケースを備え、光ケーブルＡの導入用の配索孔が形成され、該ケーブル配索孔或いは配索孔に防塵用のケーブルグロメット９を嵌装して、ここから光ケーブルをそれぞれ導出入してケーブル把持具４，１４で定着できるようにし、光ケーブルＡの接続部となるプラグ、および／またはコネクタやアダプタなどを心線収納トレイ２，３に内装してある。
【００２０】
この実施形態にかかる光ケーブル接続部用収納キャビネットにあっては、分岐光ケーブルと引き通し光ケーブルＡの接続に際しては、キャビネット本体１を建物の外壁面にビス等で固定し、分岐光ケーブルと引き通し光ケーブルをそれぞれ配索孔に通し、各分岐光ケーブル引き通しケーブルの心線余長は心線収納トレイ２，３に入れ、また保留心線を取り扱う場合は、保留心線収納シート或いはその他部品に入れて保持すればよい。
そしてキャビネット本体１に蓋ケースのカバー２０を覆ぶせて閉蓋状態を維持するが、光ケーブルＡの引き落し増設や切替交換等の配線処理作業は心線のハンドリングのケーブル外被剥ぎ取部分から簡便にでき、一目でわかる配線形態で識別性も著しく容易にできるようになる。
【００２１】
この実施形態での光ケーブル把持具は、図２乃至図５の様に形成されていて、ケーブルが押し込まれる凹溝の長手方向に広幅凹溝５と狭幅凹溝６とが備えられていて、該溝の内壁面に溝付深さ方向に突条を設けてあるし、該光ケーブル把持本体４１  の前記凹溝５，６の開口部側を被覆する蓋体４２  によって被覆して凹溝に圧入されたケーブルを押さえ込み、その飛び出しを阻止するので、異なる外径のケーブルを確実に把持できる。
【００２２】
図６に示す本発明の他の実施例では、前記キャビネット本体１に、片側に複数積層した心線収納トレイ３に組み入れたもので、開閉自在或いは取り外し自在に設けたカバー２０または蓋ケースに鍵受金具１７のある鍵部材１６を備え、ケーブル配索孔にケーブルグロメット９を嵌装し、ここから光ケーブルをそれぞれ導出入してケーブル把持具４，１４で定着したもので、防塵、防水、防犯用のキャビネット本体１に構成してある。
【００２３】
【発明の効果】
本発明は、光ケーブルの外径よりも小さい幅で光ケーブルが圧入されてケーブルを把持する凹溝を連通して両側に貫通状態で備えた光ケーブル把持本体と、該光ケーブル把持本体の前記凹溝の開口部側を被覆する蓋体とを有する光ケーブル把持具において、この光ケーブル把持部を形成する前記凹溝の長手方向に光ケーブル導入前方側と後方側とに分けて溝幅が広い広幅凹溝と、溝幅が狭い狭幅凹溝とを連続して設けて異なる外径のケーブルを把持できるようにしたことにより、ケーブルが引き抜けないように確実に把持して異なる外径のケーブルの圧入を簡単に取り扱え、しかも十分大きな把持力が得られ、引き抜き方向に対する抵抗力も大幅に増加して光ケーブルを安全に保持することができる。
【００２４】
また、本発明の光ケーブル把持部は、溝の内壁面に溝深さ方向に凸条を複数突設して、ケーブル外径より小さい幅になるように設定し、前記凹溝に圧入されたケーブルに複数ヵ所で摩擦抵抗を加えるようにして光ケーブルを挟み付けるので、異なる外径のケーブルを確実に把持できるようにし高密度の把持形態を長期にわたって維持でき安全性を高めることができるし、光ケーブルの伝送特性に悪影響を与えることなく、光ケーブルの接続或いは分岐接続作業や再収納作業が容易に実施でき、心線ごとの収納や整理のほか心線ごとの増減が簡単にでき、しかも増設も楽で、きわめてコンパクトにケーブルを安全に収納することができ、光ケーブル把持部の凹溝の中にケーブルを押し込んで把持するタイプで、ケーブルをしっかりと把持することができると共に、多数のケーブルを狭い間隔で、簡単に把持できる取扱い簡便な光ケーブル接続用キャビネットにおける光ケーブル把持具を安価な形態で提供することができる。
【００２５】
本発明の光ケーブル把持部は、溝の内壁面に溝深さ方向に凸条を複数突設して、ケーブル外径より小さい幅になるように設定し、前記凹溝に圧入されたケーブルに複数ヵ所で摩擦抵抗を加えるようにして光ケーブルを挟み付けるようにするのがよい。このようにすると異なる外径のケーブルを確実に把持できるようにし高密度の把持形態を長期にわたって維持でき安全性を高めることができる。
【００２６】
また本発明に係る光ケーブル把持具では、把持部を形成する前記凹溝が、ケーブル外径の大きなケーブル段剥ぎして溝幅が広い広幅凹溝に圧入した際に、露出した光ファイバ心線の段剥ぎ部での出口位置が狭幅凹溝の溝壁間隔以内にくるように構成したことで、各ケーブルの把持力を均等化することができ、光ケーブルファイバの損失増加が発生し憎く取り扱うことができる。
【００２７】
さらに、本発明での光ケーブル把持具は、前記ケーブル把持本体の上面部に光ケーブル把持部の前記凹溝が所定幅の突壁によって所定間隔で多数並列配備され、またケーブル把持本体の底面部外側に異方向に突設した係止片を備えて、該係止片をキャビネット本体内に固着したベース板に形成した取付孔に係脱する構成とすると共に、係止部をベース板の背面に潜らせて摺動自在に装着したことにより、多数の光ケーブルを狭い間隔で簡単に把持でき、しかも光ケーブルが引き抜けにくく確実にキャビネット本体内に保持できる。
【００２８】
本発明の光ケーブル把持具は、前記ケーブル把持本体が、キャビネット本体内に固着したベース板に形成した位置決め孔に係脱する弾性位置決め片を配備することが好ましく、このようにすることで光ケーブルに対する引っ張りや緩み現象が生じなく心線にストレスが掛ることをなくして心線の伝送特性に悪影響を及ぼすことがない。
また本発明の光ケーブル把持具は前記光ケーブル把持本体の前記凹溝の開口部側を被覆する蓋体が、ケーブル把持部を形成する凹溝の外端を開放するカバーケースであって、光ケーブル把持本体との接合面に係脱自在の係止凹凸部を備えるケーブルの飛び出し防止構成となっていることで、ケーブルの脱落による支障が生じることもなくケーブルの把持力の低下をも確実に防止できる。
さらにまた、本発明は心線接続作業後に任意の収納トレイを開いて収納されている光ファイバ心線を迅速に引き落すことができ、心線識別も容易で接続部の再調整や修理など簡単に行うことができ、作業性を大幅に向上すると共に、各心線トレイを必要なだけ複数に積み重ねることができると共に、多段に積み重ねられた収納トレイ全体を的確に保持できて安全性も高められる。
【図面の簡単な説明】
【図１】図１は本発明の実施例の一使用状態を示し、カバーの一部を切欠して内部を示す平面図である。
【図２】図１の例で用いられる光ケーブル把持具を示し、（ａ）はその平面図、（ｂ）は正面図、（ｃ）はそのその右側面図である。
【図３】図２の例で用いられる光ケーブル把持具の分離状態を示し、（ａ）はその正面図、（ｂ）はその背面図である。
【図４】図３の例の光ケーブル把持具の光ケーブル把持本体を示し、（ａ）はその平面図、（ｂ）は正面図、（ｃ）はその底面図、（ｄ）はその右側面図、（ｅ）は縦断面図である。
【図５】図３における光ケーブル把持具の蓋体を示し、（ａ）はその側面図、（ｂ）は平面図、（ｃ）はそのその右側面図である。  
【図６】本発明の他の実施例を示し、（ａ）はカバーの一部を切欠して内部を示す平面図、（ｂ）はその正面図、（ｃ）はＸ−Ｘ線における縦断面図である。
【符号の説明】
Ａ    光ケーブル
Ｂ    引き落しケーブル
ａ    心線
１    キャビネット本体
２    一括心線収納トレイ
３    個別心線収納トレイ
４    ケーブル把持具
４１    ケーブル把持本体タッチメント
４２    蓋体
５    広幅凹溝
５１    突条
５２    突壁
６    狭幅凹溝
６１    突条
６２    突壁
７    係止片
８    係止片
９    ケーブルグロメット
１０    ベース板
１１    取付孔
１２    位置決め孔
１３    位置決め片
１４    ケーブル把持具
１５    係止凹凸部
１６    鍵受金具
１７    鍵部材
２０    カバー
【図１】
2004212897.tif 000003
【図２】
2004212897.tif 000004
【図３】
2004212897.tif 000005
【図４】
2004212897.tif 000006
【図５】
2004212897.tif 000007
【図６】
2004212897.tif 000008